(57)【要約】      （修正有）【課題】上位装置が、他の上位装置がＣＣＨとして使用するタイムスロット対を考慮して通信装置にＴＣＨに使用するタイムスロット対の割り当てを行う。【解決手段】上位装置３０と、当該上位装置３０と通信端末４０との間で送受信されるデータを中継する通信装置２０と、から構成される、ＴＤＭＡ／ＴＤＤ方式を採用する通信システム１０では、通信装置２０が、上位装置３０が自通信装置２０との通信制御に使用する通信制御情報を生成し、当該通信制御情報を送信しており、この送信にあたり、通信装置２０は、周囲の上位装置３０から制御信号が送信される通信フレームに含まれるタイムスロットと、当該制御信号の電波強度とに関する情報に基づく通信制御情報を生成し、当該通信制御情報を、電波強度が最も強い上位装置３０に対して送信する。【選択図】図１
2014232934.tif 000002
【特許請求の範囲】
【請求項１】
上位装置と、当該上位装置と通信端末との間で送受信されるデータを中継する通信装置と、から構成される、ＴＤＭＡ／ＴＤＤ方式を採用する通信システムであって、
前記通信装置は、
前記上位装置と無線通信を行う第１の通信部と、
前記上位装置が自装置との通信制御に使用する通信制御情報を生成し、前記第１の通信部を介して当該通信制御情報を送信する第１の制御部と、を備え、
前記第１の制御部は、
周囲の上位装置から制御信号が送信されるタイムスロットと、当該制御信号の電波強度とに関する情報に基づく前記通信制御情報を生成し、当該通信制御情報を、当該電波強度が最も強い上位装置に対して送信する、通信システム。
【請求項２】
前記上位装置は、
前記通信装置と無線通信を行う第２の通信部と、
前記第２の通信部を介して受信した前記通信制御情報を使用して前記通信装置に対する通信制御を行なう第２の制御部と、を備える、請求項１に記載の通信システム。
【請求項３】
前記第１の制御部は、
前記上位装置から制御信号が送信されるタイムスロットと、当該制御信号の電波強度とに関する情報に基づいて、通信フレームに含まれるタイムスロット対の順位付けを行い、当該順位付けの結果を前記通信制御情報として生成する、請求項１または２に記載の通信システム。
【請求項４】
前記第２の制御部は、
前記通信装置から送信される前記通信制御情報が示す、前記順位付けの結果に基づいて、前記通信装置とデータ通信を行うタイムスロット対を決定する、請求項３に記載の通信システム。
【請求項５】
前記第１の制御部は、
通信フレームに含まれる各々のタイムスロットにおいて制御信号を送信する上位装置の数と、当該上位装置が送信する制御信号の電波強度を示す値を用いて、前記順位付けを行う、請求項３または４に記載の通信システム。
【請求項６】
上位装置と、当該上位装置と通信端末との間で送受信されるデータを中継する通信装置と、から構成される、ＴＤＭＡ／ＴＤＤ方式を採用する通信システムの通信装置であって、
前記上位装置と無線通信を行う通信部と、
前記上位装置が自装置との通信制御に使用する通信制御情報を生成し、前記通信部を介して当該通信制御情報を送信する制御部と、を備え、
前記制御部は、
周囲の上位装置から制御信号が送信されるタイムスロットと、当該制御信号の電波強度とに関する情報に基づく前記通信制御情報を生成し、当該通信制御情報を、当該電波強度が最も強い上位装置に対して送信する、通信装置。
【請求項７】
上位装置と、当該上位装置と通信端末との間で送受信されるデータを中継する通信装置と、から構成される、ＴＤＭＡ／ＴＤＤ方式を採用する通信システムの上位装置であって、
前記通信装置と無線通信を行う通信部と、
前記通信部を介して受信した通信制御情報を使用して前記通信装置に対する通信制御を行なう制御部と、を備え、
前記通信制御情報は、前記通信装置が、当該通信装置の周囲の上位装置から制御信号が送信されるタイムスロットと、当該制御信号の電波強度とに関する情報に基づき生成され、当該電波強度が最も強い上位装置に対して送信される、上位装置。
【請求項８】
上位装置と、当該上位装置と通信端末との間で送受信されるデータを中継する通信装置と、から構成される、ＴＤＭＡ／ＴＤＤ方式を採用する通信システムの通信制御方法であって、
前記通信装置が、
前記上位装置が自装置との通信制御に使用する通信制御情報を生成し、当該通信制御情報を送信するステップ、を有し、
前記ステップにおいて、
周囲の上位装置から制御信号が送信される通信フレームに含まれるタイムスロットと、当該制御信号の電波強度とに関する情報に基づく前記通信制御情報を生成し、当該通信制御情報を、前記電波強度が最も強い上位装置に対して送信する、通信制御方法。
【発明の詳細な説明】
【技術分野】
【０００１】
本発明は、通信システム、通信装置、上位装置および通信制御方法に関する。
【背景技術】
【０００２】
基地局からの無線信号が届きにくい場所、基地局設置時の有線回線敷設に多額の費用を要する場所では、データを無線で中継する通信装置が設置されることがある。この通信装置には、隣接する基地局と通信端末との間で送受信されるデータを中継する中継局や、無線バックホールにより上位のネットワークに接続する基地局がある（例えば、特許文献１を参照。）。
【０００３】
上述する通信装置は、無線リソースを使用して基地局等の上位装置に無線接続する。例えば、ＴＤＭＡ／ＴＤＤ方式のＰＨＳを採用する通信システムにおいて、通信装置は、上位装置との無線通信に使用する通信フレームに含まれる４つのタイムスロット対のうち、上位装置が制御信号を送受信する制御チャネル（ＣＣＨ）に使用するタイムスロット対以外の３つのタイムスロット対の何れかを通信チャネル（ＴＣＨ）に使用して、当該上位装置と無線通信する。
【先行技術文献】
【特許文献】
【０００４】
【特許文献１】特開２００１−２９８３９９号公報
【発明の概要】
【発明が解決しようとする課題】
【０００５】
しかしながら、ある上位装置１がＣＣＨとして使用中のタイムスロット対と同一タイミングのタイムスロット対を、上述の通信装置が他の上位装置２とのＴＣＨとして使用していると、当該通信装置は、上位装置１に接続要求を送信することができない。これは、通信装置が、上位装置１がＣＣＨとして使用中のタイムスロット対に含まれる（上り）タイムスロットを使用して、上位装置１に接続要求しなければならないためである。そのため、上位装置１に接続要求できない通信装置は、当該上位装置１に無線接続できない。
【０００６】
よって、複数の上位装置に無線接続可能な通信装置に対して、ＴＣＨに使用するタイムスロット対を割り当てる上位装置は、他の上位装置がＣＣＨに使用するタイムスロット対を考慮したタイムスロット対の割り当てを行うことが望まれる。
【０００７】
本発明は、このような問題に鑑み、上位装置が、他の上位装置がＣＣＨに使用するタイムスロット対を考慮して、通信装置がＴＣＨに使用するタイムスロット対の割り当てを行うことが可能な通信システム、通信装置、上位装置および通信制御方法を提供することを目的とする。
【課題を解決するための手段】
【０００８】
上記課題を解決するために、本発明の代表的な構成は、上位装置と、当該上位装置と通信端末との間で送受信されるデータを中継する通信装置と、から構成される、ＴＤＭＡ／ＴＤＤ方式を採用する通信システムであって、前記通信装置は、前記上位装置と無線通信を行う第１の通信部と、前記上位装置が自装置との通信制御に使用する通信制御情報を生成し、前記第１の通信部を介して当該通信制御情報を送信する第１の制御部と、を備え、前記第１の制御部は、周囲の上位装置から制御信号が送信されるタイムスロットと、当該制御信号の電波強度とに関する情報に基づく前記通信制御情報を生成し、当該通信制御情報を、当該電波強度が最も強い上位装置に対して送信する。
【０００９】
また、前記上位装置は、前記通信装置と無線通信を行う第２の通信部と、前記第２の通信部を介して受信した前記通信制御情報を使用して前記通信装置に対する通信制御を行なう第２の制御部と、を備えてもよい。
【００１０】
また、前記第１の制御部は、前記上位装置から制御信号が送信されるタイムスロットと、当該制御信号の電波強度とに関する情報に基づいて、通信フレームに含まれるタイムスロット対の順位付けを行い、当該順位付けの結果を前記通信制御情報として生成してもよい。
【００１１】
また、前記第２の制御部は、前記通信装置から送信される前記通信制御情報が示す、前記順位付けの結果に基づいて、前記通信装置とデータ通信を行うタイムスロット対を決定してもよい。
【００１２】
また、前記第１の制御部は、通信フレームに含まれる各々のタイムスロットにおいて制御信号を送信する上位装置の数と、当該上位装置が送信する制御信号の電波強度を示す値を用いて、前記順位付けを行ってもよい。
【００１３】
上記課題を解決するために、本発明にかかる他の構成は、上位装置と、当該上位装置と通信端末との間で送受信されるデータを中継する通信装置と、から構成される、ＴＤＭＡ／ＴＤＤ方式を採用する通信システムの通信装置であって、前記上位装置と無線通信を行う通信部と、前記上位装置が自装置との通信制御に使用する通信制御情報を生成し、前記通信部を介して当該通信制御情報を送信する制御部と、を備え、前記制御部は、周囲の上位装置から制御信号が送信されるタイムスロットと、当該制御信号の電波強度とに関する情報に基づく前記通信制御情報を生成し、当該通信制御情報を、当該電波強度が最も強い上位装置に対して送信する。
【００１４】
上記課題を解決するために、本発明にかかる他の構成は、上位装置と、当該上位装置と通信端末との間で送受信されるデータを中継する通信装置と、から構成される、ＴＤＭＡ／ＴＤＤ方式を採用する通信システムの上位装置であって、前記通信装置と無線通信を行う通信部と、前記通信部を介して受信した通信制御情報を使用して前記通信装置に対する通信制御を行なう制御部と、を備え、前記通信制御情報は、前記通信装置が、当該通信装置の周囲の上位装置から制御信号が送信されるタイムスロットと、当該制御信号の電波強度とに関する情報に基づき生成され、当該電波強度が最も強い上位装置に対して送信される。
【００１５】
上記課題を解決するために、本発明にかかる他の構成は、上位装置と、当該上位装置と通信端末との間で送受信されるデータを中継する通信装置と、から構成される、ＴＤＭＡ／ＴＤＤ方式を採用する通信システムの通信制御方法であって、前記通信装置が、前記上位装置が自装置との通信制御に使用する通信制御情報を生成し、当該通信制御情報を送信するステップ、を有し、前記ステップにおいて、周囲の上位装置から制御信号が送信される通信フレームに含まれるタイムスロットと、当該制御信号の電波強度とに関する情報に基づく前記通信制御情報を生成し、当該通信制御情報を、前記電波強度が最も強い上位装置に対して送信する。
【発明の効果】
【００１６】
本発明によれば、上位装置が、他の上位装置がＣＣＨとして使用するタイムスロット対を考慮して通信装置にＴＣＨに使用するタイムスロット対の割り当てを行うので、通信端末の通信システムに対する接続率を向上できる。
【図面の簡単な説明】
【００１７】
【図１】本実施形態に係る通信システムの概略的な構成を示した図である。
【図２】本実施形態に係る通信装置の概略的な構成を示したブロック図である。
【図３】本実施形態に係る通信装置の処理を示したフローチャートである。
【図４】本実施形態に係る通信装置の処理を説明する図である。
【図５】本実施形態に係る通信装置の処理を示したフローチャートである。
【図６】本実施形態に係る上位装置の概略的な構成を示したブロック図である。
【図７】本実施形態に係る上位装置の処理を示したフローチャートである。
【図８】本実施形態に係る上位装置の処理を説明する図である。
【図９】本実施形態に係る上位装置の処理を示したフローチャートである。
【発明を実施するための形態】
【００１８】
以下、本発明の一実施形態を図面に基づいて詳細に説明する。
【００１９】
図１（Ａ）は、本発明の一実施形態に係る通信システムの構成を示す図である。通信システム１０は、通信装置２０と、上位装置３０と、通信端末４０と、から構成される。
【００２０】
通信システム１０は、ＴＤＭＡ／ＴＤＤ方式のＰＨＳを採用する通信システムである。通信システム１０における通信装置２０と、上位装置３０と、通信端末４０とは、図１に（Ｂ）に示される通信フレームに含まれるタイムスロット対を用いて無線通信を行う。このタイムスロット対は、通信端末４０から上位装置３０の方向にデータが送信される上りの上りタイムスロットと、上位装置３０から通信端末４０の方向にデータが送信される下りの下りタイムスロットとが予め対応付けられたものである。ここで、図１（Ｂ）には、４つのタイムスロット対が通信フレーム内に形成されている。なお、図１（Ｂ）に示すように、通信フレーム内における各タイムスロット対には、１〜４の番号が付与されている。そして、通信装置２０は、上位装置３０との無線通信に使用する通信フレームの、何れかのタイムスロット対をＣＣＨとして使用して制御信号を送受信するとともに、何れかの上位装置３０に無線接続し、他の何れかのタイムスロット対をＴＣＨに使用して当該上位装置３０と、自装置に無線接続する通信端末４０との間で送受信されるデータを中継する。また、上位装置３０は、通信装置２０または通信端末４０との無線通信に使用する通信フレームの、何れかのタイムスロット対をＣＣＨとして使用して制御信号を送受信するとともに、自装置に無線接続する通信装置３０または通信端末４０とデータの送受信を他の何れかのタイムスロット対をＴＣＨに使用して行う。
【００２１】
図２は、本実施形態に係る通信装置の構成を示す図である。図２に示すように、通信装置２０は、第１通信部２１と、第２通信部２２と、電波強度測定部２３と、記憶部２４と、制御部２５と、を備えている。
【００２２】
第１通信部２１は、図示しないアンテナを介して上位装置３０から送信される下り無線信号を受信してベースバンド信号に変換（ダウンコンバート）後に、復調及び復号処理を行うことでデータを得る。第１通信部２１は、得られたデータを制御部２５に出力する。
【００２３】
また、第１通信部２１は、制御部２５からのデータの符号化及び変調を行ってベースバンド信号を得た後に、該ベースバンド信号を上り無線信号に変換（アップコンバート）する。第１通信部２１は、図示しないアンテナを介して上位装置３０に上り無線信号を送信する。
【００２４】
第２通信部２２は、図示しないアンテナを介して通信端末４０から送信される上り無線信号を受信してベースバンド信号に変換（ダウンコンバート）後に、復調及び復号処理を行うことでデータを得る。第２通信部２２は、得られたデータを制御部２５に出力する。
【００２５】
また、第２通信部２２は、制御部２５からのデータの符号化及び変調を行ってベースバンド信号を得た後に、該ベースバンド信号を下り無線信号に変換（アップコンバート）する。第２通信部２２は、図示しないアンテナを介して通信端末４０に下り無線信号を送信する。
【００２６】
電波強度測定部２３は、第１通信部２１が受信する、各上位装置３０から受信した制御信号の電波強度を測定する。測定する電波強度としては、例えば、受信信号強度（ＲＳＳＩ：Received Signal Strength Indication）がある。そして、電波強度測定部２３は、測定結果となる電波強度を示す値を制御部２５に出力する。
【００２７】
記憶部２４は、例えばメモリによって構成され、通信装置２０における制御などに用いられる各種情報を記憶する。ここで、記憶部２４が記憶する情報には、後述するサーチ結果リストがある。
【００２８】
制御部２５は、例えばＣＰＵによって構成され、通信装置２０が具備する各種機能を制御する。制御部２５は、第１通信部２１を介して上位装置３０から受信したデータを第２通信部２２を介して通信端末４０に送信し、一方、第２通信部２２を介して通信端末４０から受信したデータを第１通信部２１を介して上位装置３０に送信する、中継動作を行う。このとき、制御部２５は、上位装置３０との間のデータの送受信については、上位装置３０との無線通信に使用する通信フレームにおいて、当該上位装置３０に割り当てられたタイムスロット対をＴＣＨに使用して行う。また、制御部２５は、通信端末４０との間のデータの送受信については、通信端末４０との無線通信に使用する通信フレームにおいて、制御部２５が割り当てたタイムスロット対をＴＣＨに使用して行う。
【００２９】
制御部２５は、上述の中継動作を行うにあたり、無線接続先となる上位装置３０を選択する。そして、制御部２５は、選択した上位装置３０が自通信装置２０との通信処理に使用する通信制御情報を生成し、生成した通信制御情報を、第１通信部２１を介して選択した上位装置３０に送信する。その後、制御部２５は、通信端末４０からの無線接続要求を、第２通信部２２を介して受信すると、無線接続先として選択した上位装置３０に第１通信部２１を介して無線接続要求を送信する。以下、制御部２５における、この通信処理に関する処理の詳細を、図３〜５を用いて説明する。
【００３０】
図３は、通信装置２０の制御部２５が、無線接続先となる上位装置３０を選択して、当該選択した上位装置３０に通信制御情報を送信するまでの処理を示すフローチャートである。
【００３１】
ステップＳ１０１において、制御部２５は、周囲に存在する上位装置３０を特定する。制御部２５は、周囲に存在する上位装置３０を特定するにあたり、上位装置３０が送信する制御信号を受信する。ＰＨＳを採用する通信システムでは、上位装置３０は、制御信号を１スーパーフレーム（２０通信フレーム：１００ｍｓ）に１回送信する。そのため、制御部２５は、少なくとも１スーパーフレームの期間においてサーチ、つまり、第１通信部２１を介して制御信号を受信し、制御信号内に含まれる送信元を示す識別ＩＤを参照することで、周囲に存在する上位装置３０を特定できる。また、制御部２５は、同時に、周囲に存在する上位装置３０が制御信号を送信したタイムスロットから、当該上位装置３０が制御信号の送受信に使用するタイムスロット対を特定する。
【００３２】
ステップＳ１０２において、制御部２５は、特定した周囲に存在する上位装置３０が送信する制御信号の電波強度測定を電波強度測定部２３に指示し、電波強度測定部２３は、第１通信部２１が受信した周囲の上位装置３０各々の制御信号の電波強度を測定し、測定結果を制御部２５に出力する。
【００３３】
ステップＳ１０３において、制御部２５は、電波強度測定部２３から出力された、制御信号の電波強度と、当該制御信号を送信した上位装置３０の識別ＩＤと、当該制御信号が送信されたＣＣＨのタイムスロット対（の番号）と、制御信号の電波強度の強さに応じて決定した順位とを対応付けたサーチ結果リストを生成し、生成したサーチ結果リストを記憶部２４に記憶する。
【００３４】
図４（Ａ）に、ステップＳ１０３において制御部２５が生成して記憶部２４に記憶するサーチ結果リストを示す。ここでは、ステップＳ１０２における電波強度の測定結果から、電波強度が最も高い識別ＩＤがＸＸＸＡ０２の上位装置３０の順位を１位として設定している。
【００３５】
図３に戻る。ステップＳ１０４において、制御部２５は、Ｓ１０３で生成したサーチ結果リストにて順位が１位となった上位装置３０を無線接続先として選択する。そして、制御部２５は、選択した上位装置３０に対して、通信制御情報（タイムスロット通知メッセージ）を生成して送信する。このとき、制御部２５は、タイムスロット通知メッセージに、自通信装置２０の選択した上位装置３０に対する無線接続時に、当該上位装置３０が自通信装置２０にタイムスロット対を割り当てる際、割り当てを回避してもらうタイムスロット対の優先順位を示す情報を含めて送信する。この制御部２５における、割り当てを回避してもらうタイムスロット対の優先順位の設定に関し、図４（Ｂ）を使用して説明する。
【００３６】
図４（Ｂ）には、サーチ結果リストにおいて設定される順位と、当該順位の上位装置３０が制御信号を送信するＣＣＨに使用するタイムスロット対との対応を示す表と、サーチ結果リストの内容に基づき決定される、割り当てを回避してもらうタイムスロット対の優先順位を示す表とが記載されている。制御部２５は、まず、サーチ結果リストの順位が１位となっている上位装置３０がＣＣＨに使用するタイムスロット対を、割り当てを回避してもらうタイムスロット対の優先順位の設定対象から除外する。これは、サーチ結果リストの順位が１位となっている上位装置３０は、制御部２５が無線接続先として選択した上位装置３０であるため、通信装置２０自身が、除外するタイムスロット対を使用して制御信号を送受信しなければならないためである。次に、制御部２５は、サーチ結果リストを参照し、通信フレームに含まれるタイムスロット対のうち、受信した制御信号が最も多く送信されたタイムスロット対を特定し、特定したタイムスロット対の優先順位を１位に決定する。例えば、図４（Ｂ）に示される表では、タイムスロット対２が最も制御信号の送受信に利用されているので、制御部２５は、タイムスロット対２の優先順位を１位とし、タイムスロット対４を優先順位２位に決定する。なお、制御部２５は、ある受信された制御信号の数が同数のタイムスロット対が複数存在する場合は、サーチ結果リストにおける順位が上位の上位装置３０がＣＣＨに使用するタイムスロット対を優先順位の上位に設定する。そして、制御部２５は、決定した優先順位を含む通信制御情報（タイムスロット通知メッセージ）を生成する。
【００３７】
図４（Ｃ）は、ステップＳ１０４において制御部２５が生成する、通信制御情報（タイムスロット通知メッセージ）を示す。このタイムスロット通信メッセージには、メッセージヘッダ、自通信装置２０の識別ＩＤ、データ数、割り当てを回避してもらうタイムスロット対の番号が優先順位１位から順に格納される。ここで、上述のデータ数は、タイムスロット通知メッセージに格納される、タイムスロット対の番号の数を示している（例えば、優先順位１、２位の２つのタイムスロット対の番号が格納されている場合、データ数は「２」となる。）。そして、制御部２５は、このタイムスロット通知メッセージを、サーチ結果リストの１位で、無線接続先として選択した上位装置３０（例えば、図４（Ａ）のサーチ結果リストで１位になっている識別ＩＤ：ＸＸＸＡ０２の）に対して第１通信部２１を介して送信する。
【００３８】
次に、図５を用いて、通信装置２０が無線端末４０から無線接続要求を受信した際の処理を説明する。図５は、通信装置２０が無線端末４０から無線接続要求を受信し、上位装置３０に無線接続する際の、制御部２５における処理を示すフローチャートである。
【００３９】
ステップＳ２０１において、制御部２５は、無線端末４０から無線接続要求を、第２通信部２２を介して受信する。
【００４０】
ステップＳ２０２において、制御部２５は、図３のステップＳ１０４において選択した、Ｓ１０３で生成したサーチ結果リストにて順位が１位となった上位装置３０を選択する。
【００４１】
ステップＳ２０３において、制御部２５は、ステップＳ２０２に選択した上位装置３０に第１通信部２１を介して無線接続要求を送信する。
【００４２】
ステップＳ２０４において、制御部２５は、ステップＳ２０３において無線接続要求を送信した上位装置３０から第１通信部２１を介して無線接続応答を受信する。この受信した無線接続応答には、通信装置２０に対して割り当てられたタイムスロット対に関する情報または、タイムスロット対を割り当てることができない旨を示す情報が含まれる。
【００４３】
ステップＳ２０５において、制御部２５は、タイムスロット対が割り当てられていると、割り当てられたタイムスロット対を使用して無線接続し（ステップＳ２０５Ｙｅｓに相当）、処理を終了する。一方、制御部２５は、割り当てられたタイムスロット対が割り当てられなかった場合（ステップＳ２０５Ｎｏに相当）、ステップＳ２０２に移行する。ここで、制御部２５は、ステップＳ２０２に移行すると、サーチ結果リストの２位以降の上位装置３０に対して、第１通信部２１を介して無線接続要求を送信する。
【００４４】
図６は、本実施形態に係る上位装置の構成を示す図である。図６に示すように、上位装置３０は、通信部３１と、インターフェース（Ｉ／Ｆ）部３２と、記憶部３３と、制御部３４と、を備えている。
【００４５】
通信部３１は、図示しないアンテナを介して通信装置２０から送信される上り無線信号を受信してベースバンド信号に変換（ダウンコンバート）後に、復調及び復号処理を行うことでデータを得る。通信部３１は、得られたデータを制御部３４に出力する。
【００４６】
また、通信部３１は、制御部３４からのデータの符号化及び変調を行ってベースバンド信号を得た後に、該ベースバンド信号を下り無線信号に変換（アップコンバート）する。通信部３１は、図示しないアンテナを介して通信装置２０に下り無線信号を送信する。
【００４７】
Ｉ／Ｆ部３２は、有線ネットワークからデータを受信し、通信装置２０から受信したデータをネットワークに送信する。
【００４８】
記憶部３３は、例えばメモリによって構成され、上位装置３０における制御などに用いられる各種情報を記憶する。ここで、記憶部３３が記憶する情報には、タイムスロット対割り当て回避リストがある。
【００４９】
制御部３４は、例えばＣＰＵによって構成され、上位装置３０が具備する各種機能を制御する。制御部３４は、通信装置２０または通信端末４０から無線接続要求を受信すると、無線接続要求を送信した通信装置２０または通信端末４０に対して通信フレームに含まれるタイムスロット対を割り当てる。制御部３４は、通信装置２０に対してタイムスロット対を割り当てる際、当該通信装置から受信した通信制御情報（タイムスロット通知メッセージ）に含まれる情報を使用する。以下、制御部３４における、この処理の詳細を、図７〜９を用いて説明する。
【００５０】
図７は、制御部３４が通信装置２０から通信制御情報（タイムスロット通知メッセージ）を受信した際の処理を示すフローチャートである。
【００５１】
ステップＳ３０１において、制御部３４は、通信装置２０から通信制御情報（タイムスロット通知メッセージ）を受信する。
【００５２】
ステップＳ３０２において、制御部３４は、ステップＳ３０１において受信したタイムスロット通知メッセージに含まれる、当該メッセージの送信元となる通信装置２０の識別ＩＤが、記憶部３３に記憶するタイムスロット対割り当て回避リストに存在するか否か判定する。そして、識別ＩＤがタイムスロット対割り当て回避リストに存在する場合（ステップＳ３０２Ｙｅｓに相当）は、ステップＳ３０３に移行し、存在しない場合（ステップＳ３０２Ｎｏに相当）は、ステップＳ３０４に移行する。
【００５３】
ステップＳ３０３において、制御部３４は、タイムスロット対割り当て回避リストに含まれる、Ｓ３０２において判定した識別ＩＤに対応付けられた項目を、ステップＳ３０１において受信したタイムスロット通知メッセージに含まれる情報に更新し、さらに、更新した情報の有効期限を設定して処理を終了する。
【００５４】
一方、ステップＳ３０４において、制御部３４は、タイムスロット対割り当て回避リストに、Ｓ３０２において判定した識別ＩＤと、ステップＳ３０１において受信したタイムスロット通知メッセージに含まれる情報とを対応付けて記憶し、記憶した情報の有効期限を設定して処理を終了する。
【００５５】
ここで、図８は、記憶部３３に記憶されるタイムスロット対割り当て回避リストを示している。このタイムスロット対割り当て回避リストには、通信装置２０の識別ＩＤに、情報の有効期限と、割り当てを回避してもらうタイムスロット対およびその優先順位が対応付けられている。そして、制御部３４は、有効期限が過ぎると、過ぎた有効期限が対応付けられた通信装置２０の識別ＩＤ等の情報を削除する。
【００５６】
次に、図９を用いて、上位装置３０が無線接続要求を受信した際の処理を説明する。図９は、上位装置３０が無線接続要求を受信し、タイムスロット対を割り当てる際の、制御部３４における処理を示すフローチャートである。
【００５７】
ステップＳ４０１において、制御部３４は、通信部３１を介して無線接続要求を受信する。
【００５８】
ステップＳ４０２において、制御部３４は、ステップＳ４０１において受信した無線接続要求の送信元が、通信装置２０であるか否か判定する。制御部３４は、通信装置２０が送信元であると判定すると（ステップＳ４０２Ｙｅｓに相当）、ステップＳ４０３に移行する。一方、通信端末４０が送信元であると判定すると（ステップＳ４０２Ｎｏに相当）、ステップＳ４０５に移行する。
【００５９】
ステップＳ４０３において、制御部３４は、ステップＳ４０１において受信した無線接続要求を送信した通信装置２０の識別ＩＤが、記憶部３３に記憶するタイムスロット対割り当て回避リストに含まれる識別ＩＤであるか否か判定する。制御部３４は、タイムスロット対割り当て回避リストに含まれる識別ＩＤであると判定すると（ステップＳ４０３Ｙｅｓに相当）、ステップＳ４０４に移行する。一方、タイムスロット対割り当て回避リストに含まれる識別ＩＤでないと判定すると（ステップＳ４０３Ｎｏに相当）、ステップＳ４０５に移行する。
【００６０】
ステップＳ４０４において、制御部３４は、タイムスロット対割り当て回避リストを参照して、通信装置２０に対するタイムスロット対の割り当て処理を行う。制御部３４は、まず、空きタイムスロット対が存在するか否かを確認する。そして、制御部３４は、空きタイムスロット対が存在しない場合、割り当てることができないと判断する。一方、制御部３４は、空きタイムスロット対が存在する場合、タイムスロット対割り当て回避リストを参照し、割り当てる空きタイムスロットを決定する。
【００６１】
例えば、図８に示すタイムスロット割り当て回避リストに含まれる識別ＩＤがＸＸＸＢ０２の通信装置２０が、ステップＳ４０１において受信した無線接続要求の送信元であり、このとき、存在する空きタイムスロット対の番号が１、３であったとする。この場合、制御部３４は、まず、ＸＸＸＢ０２の識別ＩＤに対応付けられた、割り当てを回避してもらうタイムスロット対およびその優先順位を参照する。ここでは、優先順位１位がタイムスロット対２に設定され、優先順位２位がタイムスロット対１に設定され、優先順位３位がタイムスロット対３に設定されている。そのため、制御部３４は、空きタイムスロット対のうち、優先順位が低い空きタイムスロット対３を、識別ＩＤがＸＸＸＢ０２の通信装置２０との無線通信に使用するタイムスロット対として割り当てることを決定する。
【００６２】
一方、ステップＳ４０５において、制御部３４は、タイムスロット割り当て回避リストに識別ＩＤが含まれない通信装置２０、または、通信端末４０に対するタイムスロット対の割り当て処理を行う。制御部３４は、まず、空きタイムスロット対が存在するか否かを確認する。そして、制御部３４は、空きタイムスロット対が存在しない場合、割り当てることができないと判断する。一方、制御部３４は、空きタイムスロット対が存在する場合、タイムスロット対割り当て回避リストを参照し、割り当てる空きタイムスロット対を決定する。
【００６３】
例えば、ステップＳ４０１において無線接続要求を受信した時点で、図８に示すタイムスロット割り当て回避リストが記憶部３３に記憶されており、このとき、存在する空きタイムスロット対の番号が１、３であったとする。この場合、制御部３４は、まず、タイムスロット割り当て回避リストに記憶される各通信装置２０の割り当てを回避してもらうタイムスロット対の優先順位１位となるタイムスロット対を参照する。ここで、タイムスロット割り当て回避リストには、優先順位が１位に設定されているタイムスロット対の番号は、３，２，３となっている。そして、制御部３４は、優先順位が１位に設定されている数が最も多く、かつ、空きタイムスロット対である空きタイムスロット対３を、タイムスロット割り当て回避リストに識別ＩＤが含まれない通信装置２０、または、通信端末４０に対するタイムスロット対として割り当てる。なお、制御部３４は、タイムスロット対の割り当てに関して、優先順位１位に設定されている数が同数のタイムスロット対が存在する場合は、優先順位２位に設定されている数が最も多いタイムスロット対であって、かつ、空きタイムスロット対であるタイムスロット対を、タイムスロット割り当て回避リストに識別ＩＤが含まれない通信装置２０、または、通信端末４０に対するタイムスロット対として割り当てる。
【００６４】
また、ステップＳ４０５において、タイムスロット割り当て回避リストに参照する情報が記憶されていない場合は、制御部３４は、タイムスロット割り当て回避リストに識別ＩＤが含まれない通信装置２０、または、通信端末４０に対して、従来の方法を使用したタイムスロット対の割り当てを行う。なお、従来通りのタイムスロット対の割り当てに関する詳細な説明は省略する。
【００６５】
そして、制御部３４は、ステップＳ４０４、または、ステップＳ４０５においてタイムスロット対を割り当てることができた場合（ステップＳ４０６Ｙｅｓに相当）、ステップＳ４０７において、制御部３４は、ステップＳ４０１において受信した無線接続要求の送信元に対して、割り当てられたタイムスロット対に関する情報を含む無線接続応答を送信し、処理を終了する。
【００６６】
一方、制御部３４は、ステップＳ４０４、または、ステップＳ４０４においてタイムスロット対を割り当てることができなかった場合（ステップＳ４０６Ｎｏに相当）、ステップＳ４０８においえ、制御部３４は、ステップＳ４０１において受信した無線接続要求の送信元に対して、タイムスロット対を割り当てることができない旨の情報を含む無線接続応答を送信し、処理を終了する。
【００６７】
以上、本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００６８】
例えば、各部材、各手段、各ステップなどに含まれる機能などは論理的に矛盾しないように再配置可能であり、複数の手段やステップなどを１つに組み合わせたり、或いは分割したりすることが可能である。
【００６９】
また、上述の実施形態においては、有線ネットワークに接続する無線機器を上位装置として説明した。しかしながら、上位装置は、これに限られるものではなく、上述した通信装置が上位装置として動作することも可能である。この場合、上位装置３０として動作する通信装置２０は、他の通信装置２０が生成し、送信した通信制御情報（タイムスロット通知メッセージ）を基に、制御部２５が、上述する制御部３４が行う処理と同様の処理を行うことでタイムスロット対割り当て回避リストを生成、記憶部２４に記憶し、さらに、他の通信装置２０、通信端末４０からの無線接続要求を受信すると、上述する制御部３４が行う処理と同様の処理を行い、当該他の通信装置２０、通信端末４０にタイムスロット対を割り当てる処理を行う。
【符号の説明】
【００７０】
１０  通信システム、２０  通信装置、２１  第１通信部、２２  第２通信部、２３  電波強度測定部、２４，３３  記憶部、２５，３４  制御部、３０  上位装置、３１  通信部、３２  Ｉ／Ｆ部、４０  通信端末
【図１】
2014232934.tif 000003
【図２】
2014232934.tif 000004
【図３】
2014232934.tif 000005
【図４】
2014232934.tif 000006
【図５】
2014232934.tif 000007
【図６】
2014232934.tif 000008
【図７】
2014232934.tif 000009
【図８】
2014232934.tif 000010
【図９】
2014232934.tif 000011